(57)【要約】【課題】    引張バネにてネジが吊着された端子台において、引張バネからネジが外れ難いものとする。【解決手段】  本願発明に係る端子台は、ケーシング２内に設けられた電気導通板３と、ネジ４と、ネジ４を吊下げる引張バネ５とを備え、電気導通板３は、ネジ穴３１を備え、線挿入開口部２１より電気導通板３の上に電気接続線の端部を挿入し、ねじ回しの先端をケーシング２内に挿入してネジ４を押し下げて電気導通板のネジ穴３１へネジ４を螺合することにより、電気接続線を電気導通板３に接続できる。ネジ４の軸部４０には、電気導通板３と共に電気接続線を挟む押圧部材６が装着されている。引張バネ５は、一端がネジ４の座面に引っ掛けられてネジ４を吊下げ、ネジ４には、押圧部材６の座面への接近を制限する副座面が設けられている。【選択図】          図６
2006338991.tif 000002
【特許請求の範囲】
【請求項１】
正面に線挿入用開口部と上面に操作用開口部とを有するケーシングと、ケーシング内に設けられた電気導通板と、軸部と締め付け工具を嵌合することが可能な頭部とを有するネジと、線材を巻いた状態にすることにて形成された引張バネとを備え、上記のネジについて上記頭部が座面を又は座金の装着にて座面を形成するものであり、上記の電気導通板は、上下に貫通するネジ穴を備え、上記の引張バネは、ケーシング内にて電気導通板の上方にネジを吊下げるものであり、上記の線挿入開口部より電気導通板の上に電気接続線の端部を挿入し、操作用開口部から締め付け工具の先端をケーシング内に挿入してネジを押し下げて電気導通板のネジ穴へネジを螺合することにより、電気接続線を電気導通板に接続することが可能な端子台において、
上記ネジには、ネジの上記軸部に装着され且つ電気導通板と共に電気接続線を挟む押圧部材が設けられ、
上記の引張バネの一端がネジの上記座面に引っ掛けられることにて、当該引張バネは、ネジを吊下げるものであり、
上記のネジには、当りとして、上記押圧部材が上記座面へ接近するのを制限する副座面が、上記の座面とは別に設けられたことを特徴とする端子台。
【請求項２】
上記ネジの軸方向を上下として、上記のネジの頭部は、軸部の上端に設けられ、
ネジの当該頭部は、ネジの軸部より径が大きいものであり、ネジの上記の座面は、当該頭部と軸部との径の差による段差面であり、
ネジの軸部は、大径部位と、大径部位より下端側に位置し且つ大径部位より径の小さな小径部位とを備え、上記の副座面は、当該大径部位と小径部位との径の差による段差面であり、
上記の押圧部材は、押圧部材を上下に貫通し且つ上記ネジの軸部の小径部位が通される装着孔を備え、
当該貫通孔の内径は、ネジの軸部の上記大径部位の径よりも小さいものであることを特徴とする請求項１記載の端子台。
【請求項３】
上記の引張バネは、引張バネをケーシング内へ固定する固定用巻き部と、ネジの座面と当接してネジを保持する保持用巻き部と、固定用巻き部と保持用巻き部との間に介された伸縮巻き部とを備え、
上記の保持用巻き部が、上記ネジの座面に引っ掛けられて、ケーシング内にて電気導通板の上方にネジを吊下げるものであることを特徴とする請求項１又は２記載の端子台。
【請求項４】
請求項１乃至３の何れかに記載の端子台を備えたトランス。
【発明の詳細な説明】
【技術分野】
【０００１】
本願発明は、端子台及びこの端子台を備えたトランスに関する。
【背景技術】
【０００２】
電気接続線の端子を固定する端子台において、端子台が備える電気導通板に、電気接続線を固定するネジの装着を容易とするため、例えば特許文献１に見られる電気接続具が提案されている。
【０００３】
【特許文献１】特公平７−６０７０６号公報
【０００４】
この電気接続具は、正面に線挿入用開口部と上面に操作用開口部とを有するケーシングと、ケーシング内に設けられた電気導通板と、座面を備え且つ上端にねじ回しを嵌合することが可能な頭部を備えたネジ（ビス）と、線材にて形成された引張コイルバネ（ばね部材）とを備える。上記の電気導通板は、上下に貫通するネジ穴を備え、上記の引張コイルバネは、ケーシング内にて上記の操作用開口部から電気導通板の上方にネジを吊下げるものであり、上記の線挿入開口部より電気導通板の上に電気接続線の端部を挿入し、操作用開口部からねじ回しの先端をケーシング内に挿入してネジを押し下げて電気導通板のネジ穴へネジを螺合することにより、電気接続線を電気導通板に接続することができる。
【０００５】
上記の特許文献１に示された電気接続具が提案される以前は、電気導通板のネジ穴に螺合することにより電機接続線を電気導通板に固定する上記のネジは、ケーシングと別々にされており、端子の接続に際して、一々、指先で、電機導通板の上に電気接続線を乗せた状態にして、ねじ回しにより、電気導通板のネジ穴へ螺合しなければらなかった。即ち、端子の接続に際して、夫々別体の、電機導通板が設けられたケーシングと、電気接続線と、ネジとを、上記のネジ締めによって一体とする手間を取らなければならなかった。この作業は、小さなネジを所定の向きにしてネジ穴に螺合する際に、手元が狂って、ネジを落っことし、作業を幾度となくやり直す面倒を強いられるものであった。
上記の特許文献１に示された電気接続具は、このような点を改良すべく提案されたものであり、このものにあっては、ネジを、ケーシング内において、予め引張コイルにて電気導通板の上方に固定して吊下げておき、端子の接続に際して、ネジ回しにより上方から下方に向けてねじ回しを押し込むことにて、簡単にネジを電気導通板のネジ穴のある位置に合わせることができ、そのままねじ回しによりネジを旋回して上記のネジ穴へ螺合することができる。このように、この特許文献１に示された電気接続具は、ネジを指先で触れる必要なく、ねじ回しの操作だけで、ネジを電気導通板のネジ穴に装着でき、便利なものとされた。
このネジには、座金が押圧部材として装着されており、ネジを電気導電板へ締め付けてゆくことより、上記電気導電板と当該押圧部材とが電気接続線を挟持する。
上記のバネ下端の巻き部分が、ネジの座面に引っ掛けられてケーシング内にネジを吊下げている。
【０００６】
しかし、ネジを締め付けて行くことによって、押圧部材は、ネジの座面との間隔を狭め、ネジの座面と押圧部材との間に位置する上記バネ下端の巻き部分が当該座面と押圧部材とに巻きを押しつぶされて、座面からはみ出し、ネジを脱落させてしまうという事態が生じた。
【発明の開示】
【発明が解決しようとする課題】
【０００７】
本願発明は、引張バネにてネジが吊着された端子台において、ネジの形態を工夫することによって、上記課題の解決を図るものである。
【課題を解決するための手段】
【０００８】
そこで、本願第１の発明は、正面に線挿入用開口部２１と上面に操作用開口部２２とを有するケーシング２と、ケーシング２内に設けられた電気導通板３と、軸部４０と締め付け工具を嵌合することが可能な頭部４１とを有するネジ４と、線材を巻いた状態とすることにて形成された引張バネ５とを備え、上記のネジ４について上記頭部４１が座面を又は座金の装着にて座面を形成するものであり、上記の電気導通板３は、上下に貫通するネジ穴３１を備え、上記引張バネ５は、ケーシング２内にて電気導通板３の上方にネジ４を吊下げるものであり、上記の線挿入開口部２１より電気導通板３の上に電気接続線の端部を挿入し、操作用開口部２２から締め付け工具の先端をケーシング２内に挿入してネジ４を押し下げて電気導通板３のネジ穴３１へネジ４を螺合することにより、電気接続線を電気導通板３に接続することが可能な端子台１について、次の構成を採るものを提供する。
即ち、上記ネジ４には、ネジ４の上記軸部４０に装着され且つ電気導通板３と共に電気接続線を挟む押圧部材６が設けられている。上記の引張バネ５の一端がネジ４の上記座面に引っ掛けられることにて、当該引張バネ５は、ネジ４を吊下げるものである。上記ネジ４には、当りとして、上記押圧部材６が上記座面へ接近するのを制限する副座面が、上記座面とは別に設けられている。
【０００９】
本願第２の発明は、上記本願第１の発明にあって、次の端子台を提供する。
即ち、上記ネジ４の軸方向を上下として、上記のネジ４の頭部４１は、軸部４０の上端に設けられている。ネジ４の当該頭部４１は、ネジ４の軸部４０より径が大きいものであり、ネジ４の上記の座面は、当該頭部と軸部との径の差による段差面である。ネジ４の軸部４０は、大径部位と、大径部位より下端側に位置し且つ大径部位より径の小さな小径部位とを備える。上記の副座面は、当該大径部位と小径部位との径の差による段差面である。上記の押圧部材６は、押圧部材６を上下に貫通し且つ上記ネジ４の軸部４０の小径部位が通される装着孔を備える。当該貫通孔の内径は、ネジ４の軸部４０の上記大径部位の径よりも小さい。
【００１０】
本願第３の発明は、上記本願第１又は２の発明にあって、次の端子台を提供する。
上記の引張バネ５は、引張バネ５をケーシング２内へ固定する固定用巻き部と、ネジ４の座面と当接してネジ４を保持する保持用巻き部と、固定用巻き部と保持用巻き部との間に介された伸縮巻き部とを備える。上記の保持用巻き部が、上記ネジ４の座面に引っ掛けられて、ケーシング２内にて電気導通板３の上方にネジ４を吊下げるものである。
【００１１】
本願第４の発明は、上記本願第１乃至第３の何れかの発明に係る端子台１を備えたトランスを提供する。
【発明の効果】
【００１２】
本願第１〜３の発明により、押圧部材が取り付けられたネジを締め付けることによって電気接続線を導電板と当該押圧部材との間に挟んで導電板へ結線するものであって、導電板への締め付け前、当該ネジは線材を巻くことにて形成された引張バネにてケーシング内に吊るされたものである端子台において、ネジを締め付けた際に、副座面が当りとなって、押圧部材が引張バネが引っ掛けられたネジの座面へ近づくのを制限するため、引張バネのネジの座面に引っ掛けられた部分が、ネジの座面と押圧部材とに挟まれて巻きが潰れてネジが引張バネから脱落するという事態を抑制した。
【００１３】
又、本願第４の発明では、上記の効果を奏する端子台を備えたトランスを提供した。
【発明を実施するための最良の形態】
【００１４】
以下、図面を参照しつつ、本願発明の好ましい実施の形態について、説明する。図１〜図８へ本願発明の一実施の形態に係るトランスを示す。
図１（Ａ）はこのトランスの全体正面図であり、図１（Ｂ）はこのトランスの全体側面図であり、図１（Ｃ）はこのトランスの全体平面図である。図２（Ａ）及び（Ｂ）は、このトランスに用いられる端子台のケーシングの要部斜視図である。図３（Ａ）は上記端子台のケーシングの上記と他の部位を示す要部側面図であり、図３（Ｂ）その底面図であり、図３（Ｃ）はその平面図であり、図３（Ｄ）はその背面図であり、図３（Ｅ）はその正面図である。図４（Ａ）は上記の端子台に用いられるネジの（押圧部材が覗かれた状態を示す）正面図であり、図４（Ｂ）は当該ネジに押圧部材が装着された状態を示す正面図である。図５（Ａ）は上記端子台に用いられる引張バネの斜視図であり、図５（Ｂ）はその平面図であり、図５（Ｃ）は当該バネとネジとの関係を示す正面図である。図６（Ａ）は図５に示す引張バネを図４（Ｂ）へ示すネジへ装着した状態を示す斜視図であり、図６（Ｂ）は図６（Ａ）に示すネジを図２（Ａ）へ示すケーシングの要部へ装着した状態を示す斜視図である。図７は図６（Ａ）へ示すネジを装着した状態を示す端子台の縦断面図であり、図８はその使用状態を示す縦断面図である。
説明の便宜上、各図中、Ｕは上方を、Ｓは下方を、Ｌは左側を、Ｒは右側を、Ｆは前方を、Ｂは後方を、夫々示している。
【００１５】
図１に示す通り、このトランスは、トランス本体１００と、トランス本体１００に取り付けられる端子台１とを備える。
以下、各部の構成について、詳しく説明する。
【００１６】
図１（Ａ）〜（Ｃ）へ示す通り、上記のトランス本体１００は、中空部分を備えたボビン１０１と、ボビン１０１の外側に巻かれたコイル１０２と、ボビン１０１の中空部分の少なくとも内側へ束ねて配された鉄心１０３と、鉄心固定具１０４…１０４と、端子台固定部１０５，１０５とを備える。
上記の鉄心固定具１０４…１０４は、図１（Ａ）へ示す通り、束ねられた鉄心１０３（の夫々が同一位置に備える貫通孔）へ通された長ネジと、長ネジと螺合する袋ネジ（一端が開口する軸内部に雌ネジ部が形成されている）とを備える。袋ネジは、長ネジの座面と共にその座面にて鉄心１０３の束を挟む。
上記の鉄心固定具１０４は、この実施の形態において、図１（Ａ）へ示す通り、鉄心１０３に対して、上部の２箇所と、下部の２箇所の、合計４箇所（図１（Ａ）に示すように、正面視した状態において、鉄心の四隅）に取り付けられている。
端子台固定部１０５は、束ねられた鉄心１０３の表面において、上記の上部の鉄心固定具１０４，１０４間へ水平に渡された、レールである。上記の通り、端子台固定部１０５の両端は、束ねられた鉄心１０３と共に鉄心固定具１０４，１０４にて当該鉄心１０３の表面に固定されている。当該鉄心固定具１０４，１０４間において、端子台固定部１０５は、（その長手方向と交差する方向にて切った）断面の形状をＬ字形とする部分を備える。
上記の端子台１…１は、この端子台固定部１０５に通されることによって、トランス本体１００へ固定される。
上記のトランス本体１００として、実公平５−６９９２７号や特開２０００２−３１３６５５号の公報に示すものを採用することができる。
【００１７】
上記の端子台１は、図７へ示す通り、ケーシング２と、電気導通板３と、ネジ４と、引張バネ５とを備える。ここでは、図１（Ｃ）において、トランス本体１００の前方Ｆ側に配置された端子台１を例に採って説明する。
上記のケーシング２は、樹脂にて形成された中空の筐体である。このケーシング２は、図２（Ａ）へ示す通り側板部ａと、図３（Ａ）〜（Ｅ）へ示す中央部ｂとを備える。中央部ｂは、図３（Ａ）〜（Ｅ）へ示す通り、水平部ｂ２と、水平部ｂ２前方より下方に伸びる正面部ｂ１とを備える。この正面部ｂ１には、正面部ｂ１の前後に貫通する線挿入用開口部２１が設けられている。線挿入用開口部２１は、接続線を通すことが可能な大きさ（断面積）を有する。また、上記の水平部ｂ２には、上下に貫通する操作用開口部２２が設けられている。操作用開口部２２は、ドライバの先端（シャフト）を通すことが可能な内径（断面積）を有する。
また、中央部ｂには、上記の側板部ａへ取り付けるための突起ｂ３…ｂ３が設けられている。
【００１８】
図２（Ａ）へ示す通り、上記の側板部ａは縦に配される板状体であり、側面には、電気導通板３を支持する第１支持部ａ１と、引張バネ５を支持する第２支持部ａ２と、上記トランス本体１００の端子台固定部１０５を通すことが可能なＬ字貫通孔ａ３が設けられている。
上記の第１支持部ａ１は、側板部ａより側方（側板部ａが中央部ｂの左側に位置するものである場合右側、逆の場合左側）へ水平に突出する突出部ａ１０と、突出部ａ１０の上部に設けられた凹部ａ１１とを備える。
上記の第２支持部ａ２は、図２（Ａ）へ示す通り、第１支持部ａ１の上方に設けられ、側板部ａより第１支持部ａ１と同じ側方へ水平に突出する２つの支持突設部ａ２０，ａ２０を備える。この２つの支持突設部ａ２０，ａ２０は、間隔を開けて、前後に対向して配設されたものであり、夫々対向する面に、溝ａ２１，ａ２１を備える。溝ａ２１，ａ２１は、左右に真っ直ぐ伸びる。
【００１９】
この実施の形態において、端子台１の夫々は、左右の一方（図１（Ａ）示したものは左側）のみに、側板部ａを備えるものであるが、図１へ示す通り、端子台１…１を端子台固定部１０５へ当該端子台固定部１０５の長手方向に沿って配列することにより、夫々隣の端子台１の側板部ａにて区画されるので、隣接する端子台１，１間の絶縁については問題ない。このため、図２（Ｂ）へ示す通り、側板部ａの第１及び第２支持部ａ１，ａ２が設けられたのと反対側の側面には、隣接する端子台１の側板部ａの第１及び第２支持部ａ１，ａ２の先端を受容する第１及び第２受容部ａ４，ａ５が設けられている。
この実施の形態と異なり、個々の端子台１は、中央部ｂの左右両側に側板部ａ，ａを備えるものとしても実施可能である。一方、図１へ示す実施の形態において、配列された端子台１…１の列の一方の端に位置する端子台１については、側板部ａが片方だけ（例えば左側だけ）では、内部が露出することになるので、当該端子台１ｂについて、図１（Ｃ）へ示す通り、別途の側板部ｄ（上記の左側の側板部ａに対して右側用）を用意する。尚、側板部ａ，ｄは、図示したものと左右反対であっても実施可能である。
また、側板部ａには、中央部ｂが備える上記突起ｂ３…ｂ３を受容する受容部ａ６…ａ６が設けられている。中央板ｂの上記突起ｂ３…ｂ３を側板部ａの受容部ａ６…ａ６へ挿入することによって、側板部ａへ中央部ｂを取り付けることができる。
【００２０】
上記の電気導通板３は、上下に貫通するネジ穴３１を備える金属板である。
図６（Ｂ）及び図７へ示す通り、端子台１の上記第１支持部ａ１に、この電気導通板３が取り付けられる。具体的には、電気導通板３は、第１支持部ａ１の突出部ａ１０の上に乗せられ、その左右端が上記凹部ａ１１及び第１受容部ａ４へ挿入されることによって、第１支持部ａ１へ取り付けられる。
また、上記のネジ４を保持する引張バネ５（図６（Ａ））が、上記第２支持部ａ２に取り付けられる。
図７へ示す通り、第２支持部ａ２（支持突設部ａ２０，ａ２０の間）は、上記の操作用開口部２２の真下に位置する。また、第１支持部ａ１は、第２支持部ａ２の下方にあり、電気導通板３の上記ネジ穴３１を操作用開口部２２の真下に（操作用開口部２２と同心に）配置させる。
【００２１】
以下、このネジ４と、このネジ４を吊下げる引張バネ５とについて、詳述する。
図４（Ａ）へ示す通り、ネジ４は、雄ねじを備える軸部４０と、座面４２を有し且つ上端にねじ回しを嵌合することが可能な嵌合部を有する頭部４１とを備える。頭部４１は、平面視円形の輪郭を有する。即ち、その座面４２（平面視した頭部４１）の輪郭は円形である。図４（Ａ）へ示す通り、軸部４０の上端に上記の頭部４１が設けられており、軸部４０には、頭部４１の上記座面４２と別に副座面４３が形成されている。
【００２２】
ネジ４の上記頭部４１は、軸部４０より径が大きいものであり、ネジ４の上記の座面４２は、当該頭部４１と軸部４０との径の差による段差面である。座面４２は、ネジ４の軸方向と直交する平らな面である。ネジ４の上記軸部４０は、大径部位４０ａと、大径部位４０ａより下端側に位置し且つ大径部位４０ａより径の小さな小径部位４０ｂとを備える。上記の副座面４３は、当該大径部位４０ａと小径部位４０ｂとの径の差による段差面である。副座面４２は、ネジ４の軸方向と直交する平らな面である。
ネジ４の上記軸部４０の小径部位４０ｂには、押圧部材６が装着されている。図４（Ｂ）へ示す通り、この押圧部材６は、押圧部材６を上下に貫通しネジ４の軸部４０の小径部位４０ｂを通すことが可能な装着孔６０を備えた、座金である。図６（Ａ）へ示す通り、この実施の形態において、押圧部材６は平面視矩形の座金である。押圧部材６の下面６１には、電気導通板３との間にて、電気接続線を確実に保持するために、突起６２…６２が設けられている。この突起６２…６２は、図６（Ａ）へ示す通り、四角形の押圧部材６の各辺の中央部分と接するように４つ設けられている。
また、この実施の形態において、押圧部材６は、上記の通り、押圧部材６の下面６１において、矩形の四隅６３…６３が、上記突起６２…６２を除いて、押圧部材６の下面６１の他の部位よりも、下方に垂れた状態に形成されている。このように形成された平面視矩形の押圧部材６の角（隅６３…６３）も、上記の突起６２…６２と同様、押圧部材６と電気導通板３との間にて、電気接続線を確実に保持するのに功を奏する。
但し、押圧部材６について、上記の突起６２…６２を設けずに、また、各隅６３…６３を垂下させずに形成して実施することも可能である。
【００２３】
上記押圧部材６の装着孔６０の内径は、ネジ４の軸部４０の上記大径部位４０ａの径よりも小さい。即ち、この押圧部材６の孔６０の内径よりも上記副座面４３の外径のほうが大きい。上記の副座面４３は、ネジ締めにより押し上げられた上記押圧部材６が、ネジの頭部４１（の座面４２）に近づきすぎないように設けられた当接部である。また、押圧部材６の下方への移動について、押圧部材６は、軸部４０のネジ山に係合するが、従来周知の方法により軸部４０に対して周回させてもネジのピッチに従って下方に自由に移動せず空回りするように形成しておく。これにて、押圧部材６は、軸部４０の下方へ脱落しない。
【００２４】
上記の引張バネ５は、１本の金属の線材にて形成された引張りコイルバネである。図５（Ａ）へ示す通り、上方から順に、引張バネ５をケーシング２内へ固定する固定用巻き部５１と、伸縮巻き部５２と、ネジ４の座面４２と当接してネジ４を保持する保持用巻き部５３とを備える。
この実施の形態において、固定用巻き部５１は、図５（Ｂ）へ示す通り、引張バネ５において、平面視矩形に巻かれた区間であり、４つの直線部分５１ａ…５１ａ（辺）を備える。この実施の形態において、固定用巻き部５１は、引張バネ５を形成する線材を、２巻き（２回）矩形に巻くことによって、形成されている。
固定用巻き部５１が呈する上記の矩形において、１組の向い合う辺（直線部分５１ａ，５１ａ）間の幅（固定用巻き部５１の前後の幅）が、上記第２支持部ａ２０、ａ２０に設けられた溝ａ２１，ａ２１（の底）間の幅に対応する。
【００２５】
上記伸縮用巻き部５２は、引張バネ５において、平面視円形に巻かれた区間である。この実施の形態において、伸縮用巻き部５２は、上記線材を５巻き（５回）巻くことによって、形成されている。
上記の保持用巻き部５３は、図５（Ｂ）へ示す通り、引張バネ５において、平面視円形に巻かれた区間である。この実施の形態において、保持用巻き部５３は、引張バネ５を形成する線材を、２巻き（２回）矩形に巻くことによって、形成されている。保持用巻き部５３の径（内径）は、上記のネジ４の座面４２（頭部４１）の径よりも小さい。このように形成されることによって、保持用巻き部５３に、ネジ４の頭部４１の座面４２が引っ掛けられて、図５（Ｃ）へ示す通り、ネジ４を吊下げることができる。
この保持用巻き部５３の軸方向（上下）の幅は、図４（Ａ）（Ｂ）へ示すネジ４の軸部４０の大径部位４０ａの軸方向（上下）幅ｔよりも小さい。即ち、当該大径部位４０ａの軸方向幅ｔ（座面４２と副座面４３との間隔）は、少なくとも上記引張バネ５の保持用巻き部５３の圧縮した状態（２重に巻かれた部分を潰れない状態であって最も密にした状態）において巻き部の軸方向幅よりも、大きい。
このように、座面４２と副座面４３との間隔を設定することによって、ネジ締めにより押圧部材６が副座面４３と当接した際、保持用巻き部５３が座面４２と副座面４３との間に挟まれて、その巻きが潰れ座面４２からはみ出すということがなく、ネジが引張バネ４から脱落するという事態を抑制し得た。
但し、大径部位４０ａの上記の軸方向幅ｔが、上記圧縮状態の保持用巻き部５３の軸方向幅よりも若干小さくても、保持用巻き部５３が上記座面４２から脱落しない程度にしか潰れないものであれば、これを除外するものではない。
上記の通り、このネジ４は、引張バネ５の引掛り部と、押圧部材６に対する当接部とを備える。即ち、このネジ４は、引張バネ５の引掛り部として上記の座面４２を、更に、押圧部材６の当接部として上記の副座面４３を備える。
【００２６】
また、引張バネ４の各巻き部５１，５２，５３は、上記の実施の形態に示す巻き数に限定するものではなく、種々変更可能である。
ネジ４の座面４２は、ネジ４の頭部４１が備えるものとしたが、別途の座金をネジ４に装着することにより、当該座金が引張バネ５の引掛り部を提供するものとしても実施可能である。
更に、上記の実施の形態において、端子台１が備えるケーシング２は、側面部ａと正面部ｂとが別々に形成されて組み合わされるものであった。この他、側面部と正面部とは一体に形成されたものを採用して実施することも可能である。
また、上記の実施の形態において、端子台は、トランスに利用されるものを示した。但し、トランスへの利用に限定ものではなく、その他の電気機器や電気部品、電気接続線同士を電気的に接続する電気接続具に利用することも可能である。
【００２７】
製造時において、図６（Ａ）及び図７へ示す通り、上記の図４へ示すネジ４の座面４２の下に、上記図５へ示す引張バネ５の保持用巻き部５３が位置するよう、引張バネ５へネジ４を装着する。この装着に際して、引張バネ４には、押圧部材６が装着されているので、ネジ４の頭部４１を引張バネ５の保持用巻き部５３の下部より上方へ押し込み、保持用巻き部５３を強制的に押し広げて、当該頭部４１に保持用巻き部５３を潜らせる。頭部５３を潜った後、保持用巻き部５３が元の状態に戻り、当該頭部４１の座面４２に保持用巻き部５３が引っ掛かる。
そして、図６（Ｂ）及び図７へ示すように、引張バネ５の固定用巻き部５１の直線部分５１ａの一つを前記の一方の第１部突設部ａ２０の溝ａ２１へ、当該直線部分５１ａと向かい合う他の直線部分５１ａを他方の第１突設部ａ２０の溝ａ２１へ挿入する。これによって、固定用巻き部５１を第１支持部ａ２へ固定することができ、ケーシング２内にて、電気導通板３のネジ穴３１の上方に、ネジ４を吊下げることができる。
図８へ示す通り、上記の線挿入開口部２１より電気導通板３の上に電気接続線ｍの端部を挿入し、操作用開口部２２からねじ回し（図示せず。）の先端をケーシング２内に挿入してネジ４を押し下げて電気導通板のネジ穴３１へネジ４を螺合することにより、電気接続線ｍを電気導通板３と押圧部材６とにて挟み、電気接続線ｍを電気導通板３に接続することができる。
この際に、前述の通り、押圧部材６とネジ４の頭部４１の座面４２との間に挟まれて、引張バネ５のネジ４に引っ掛けられている部分（保持用巻き部５３）の巻きが潰れて、ネジ４が脱落するということがない。
【００２８】
上記の実施の形態において、引張バネ５の固定用巻き部５１は、平面視矩形に線材を巻いたものであった。この他、図９（Ａ）〜（Ｃ）へ示す通り、引張バネ５の固定用巻き部５１を他の巻き部と同様、平面視円形に線材を巻いて形成するものとしても実施可能である。図９（Ａ）はその引張バネ５の平面図であり、図９（Ｂ）は当該引張バネ５へネジ４を装着した状態を示す平面図であり、図９（Ｃ）は図９（Ｂ）の正面図である。
この場合、第２支持部ａ２は、図６（Ｂ）へ示すように、直線的に左右へ伸びる溝ａ２１，ａ２１を、備えるものとしてもよいが、当該溝ａ２１，ａ２１を、上記固定用巻き部５１の平面視円形の形状に合わせて、円弧状に左右に伸びるものとすれば、より確実に、固定用巻き部５１をハウジング２へ取り付けることができる（図示しない）。
【００２９】
また、引張バネ５の保持用巻き部５３について、上記の各実施の形態では、平面視円形に線材を巻いたものを示した。この他、当該保持用巻き部５３について、上記円形以外の形状を採るものとしても実施可能である。
例えば、図１０へ示すように、上記保持用巻き部５３は、ネジ４の座面の径よりも大きな径と、ネジ４の座面の径よりも小さな径とを備え、保持用巻き部５３の上記何れの径の部分も、ネジ４の軸部４０を通すことが可能なものを採用することができる（ここで、上記の保持用巻き部５３の径とは、保持用巻き部５３の中心を通る直線（仮想線）の長さをいう）。
即ち、図１０（Ａ）〜（Ｃ）へ示す通り、上記のネジ４の座面４２の輪郭は、図示の通り、円形であり、上記の引張バネ５を形成する線材は、少なくとも保持用巻き部５３において、多角形状に巻かれた状態に形成することができる。上記の保持用巻き部５３は、上記線材の弾性を利用して押し広げることによってネジ４の頭部４１側から当該頭部４１を超えて座面側に配置することができ、上記ネジ４の座面より小さな径の部分が、座面と当接して、保持用巻き部５３からネジ４が脱落するのを防止するものである。尚、上記の多角形とは、その角が完全に尖ったものに限定するものではなく、角が丸くなっていても、全体の輪郭が円と区別できるものであれば、これを含む。ここでは、保持用巻き部５３が呈する上記の多角形は、長方形である。但し、このような長方形に限定するものではなく、例えば正方形状に巻かれたものとしても実施可能である。正方形とした場合、当該正方形の向かい合う頂点間（対角線）の幅が、ネジ４の頭部４１の座面４２の直径より大きく、向かい合う辺間の幅（辺の長さ）が、ネジ４の頭部４１の座面４２の直径よりも小さいものとすればよい。
【００３０】
詳述すると、保持用巻き部５３は、図１０（Ａ）〜（Ｃ）へ示す通り、引張バネ５において、平面視矩形に巻かれた区間として形成して実施することが可能である。この場合、保持用巻き部５３は、４つの直線部分（長辺５３ａ，５３ａ、短辺５３ｂ，５３ｂ）を備える。保持用巻き部５３は、上記のネジ４の座面４２（頭部４１）の径よりも大きな径と、ネジ４の座面４２（頭部４１）の径よりも小さな径とを備える。ここで、保持用巻き部５３について、ネジ４の座面４２に対する径の大小というのは、２巻きの夫々について、ネジ４の座面４２の径より、大きな径の部分（大径部）と、小さな径の部分（小径部）とが設けられているということである（一方の巻きの径が上記座面４２の径より大きく、他方の巻きの径が上記座面４２の径より小さいということではない）。
この実施の形態において、図１０（Ｂ）へ示す通り、引張バネ５を形成する線材は、上記の保持用巻き部５３にて、平面視長方形を呈するように巻かれている。即ち、保持用巻き部５３の上記各巻き（２巻き）の夫々について、平面視同一の向きに配置された長方形を呈する。
図１０（Ｃ）は、ネジ４の各部と上記保持用巻き部５３との大きさを対比する説明図である。この図１０（Ｃ）へ示す通り、上記の長方形の長辺５３ａ，５３ａ間の間隔（短辺５３ｂの長さ）は、ネジ４の上記座面４２の直径よりも小さく、ネジ４の軸部４０の直径よりも大きいかこれと等しい。この長方形の短辺５３ｂ，５３ｂ間の間隔（長辺５３ａの長さ）は、ネジ４の上記座面４２の直径よりも大きい。即ち、この実施の形態において、長辺５３ａ，５３ａが上記の小径部を構成し、短辺５３ｂ，５３ｂが上記の大径部を構成する。
また、保持用巻き部５３の上下の幅は、ネジ４の座面４２と副座面４３との間の幅と同じかそれよりも小さい。
製造時において、図４へ示すネジ４の座面４２の下に、上記図１０へ示す引張バネ５の保持用巻き部５３が位置するよう、引張バネ５へネジ４を装着する。この装着に際して、ネジ４の頭部４１側より、引張バネ５の下部の上記保持用巻き部５３の長辺５３ａを、当該頭部４１の座面４２に引っ掛けて、保持用巻き部５３の他の部分を上方よりこの頭部４１へ押し付けることにより、長辺５３ａ，５３ａ間の幅を押し広げて、ネジ４の頭部４２を乗り越えさせ、保持用巻き部５３全体をネジ４の座面４２側へ移行させることができる。このように頭部４１を乗り越えた後バネ４の弾性によって、保持用巻き部５３は、元の状態に戻り、ネジ４の座面４２に対して、上記長辺５３ａ，５３ａが対応する。
【００３１】
この他、保持用巻き部５３は、このような四角形に限定するものではなく、他の多角形状に巻かれたものとしても実施可能である。また、固定用巻き部５１と保持用巻き部５３の巻きの形状については、上記の多角形に限定するものではなく、例えば長円（円弧部分と直線部分とを備えた円）や、その他の直線部分と曲線部分とが複合されたものであっても実施可能である。
このような他の実施の形態について、図１１を用いて説明する。図１１（Ａ）はこの実施の形態の引張バネ５を示す略底面図であり、図１１（Ｂ）は、当該引張バネ５にネジ４を装着した状態を示す略平面図であり、図１１（Ｃ）は図１１（Ｂ）の略側面図である。
図１１（Ａ）〜（Ｃ）に示す通り、保持用巻き部５３について、線材を長円状に巻いて形成することも可能である（この図１１に示す実施の形態では、固定用巻き部５１については平面視円弧状に巻かれている）。
この場合、当該長円の長軸の長さを、ネジ４の頭部４１の座面４２の直径よりも大きいものとし、当該長円の短軸の長さを、ネジ４の頭部４１の座面４２の直径よりも小さなものとすればよい。
上記の図９〜図１１に示す各実施の形態においても、明示した以外の構成については、上記図１〜図８へ示す実施の形態と同様である。
【図面の簡単な説明】
【００３２】
【図１】（Ａ）は本願発明に係るトランスの全体正面図であり、（Ｂ）はこのトランスの全体側面図であり、（Ｃ）はこのトランスの全体平面図である。
【図２】（Ａ）及び（Ｂ）は、上記トランスに用いられる端子台のケーシングの要部斜視図である。
【図３】（Ａ）は上記端子台のケーシングの上記と他の部位を示す要部側面図であり、（Ｂ）その底面図であり、（Ｃ）はその平面図であり、（Ｄ）はその背面図であり、（Ｅ）はその正面図である。
【図４】（Ａ）は上記の端子台に用いられるネジの（押圧部材を省いた状態を示す）正面図であり、（Ｂ）は当該ネジに押圧部材が装着された状態を示す正面図である。
【図５】（Ａ）は上記端子台に用いられる引張バネの斜視図であり、（Ｂ）はその平面図であり、（Ｃ）はネジを装着した状態を示す引張バネの側面図である。
【図６】（Ａ）は図５に示す引張バネを図４（Ｂ）へ示すネジへ装着した状態を示す斜視図であり、（Ｂ）は（Ａ）に示す引張バネを図２（Ａ）へ示すケーシングの要部へ装着した状態を示す斜視図である。
【図７】図６（Ａ）へ示す引張バネを装着した状態を示す端子台の縦断面図である。
【図８】図７へ示す端子台の使用状態を示す縦断面図である。
【図９】（Ａ）は上記引張バネの他の実施の形態を示す略平面図であり、（Ｂ）は（Ａ）のバネにネジを装着した状態を示す略平面図であり、（Ｃ）は（Ｂ）の略側面図である。
【図１０】（Ａ）は上記引張バネの他の実施の形態を示す斜視図であり、（Ｂ）は（Ａ）の略平面図であり、（Ｃ）はネジの頭部と引張バネの保持用巻き部との位置関係を示す説明図である。
【図１１】（Ａ）は上記引張バネの他の実施の形態を示す略底面図であり、（Ｂ）は（Ａ）の引張バネにネジを装着した状態を示す略平面図であり、（Ｃ）は（Ｂ）の略側面図である。
【符号の説明】
【００３３】
１  端子台
２  ケーシング
３  電気導通板
４  ネジ
５  引張バネ
４０  （ネジの）軸部
４１  （ネジの）頭部
５１  （引張バネの）固定用巻き部
５２  （引張バネの）伸縮巻き部
５３  （引張バネの）保持用巻き部
【図１】
2006338991.tif 000003
【図２】
2006338991.tif 000004
【図３】
2006338991.tif 000005
【図４】
2006338991.tif 000006
【図５】
2006338991.tif 000007
【図６】
2006338991.tif 000008
【図７】
2006338991.tif 000009
【図８】
2006338991.tif 000010
【図９】
2006338991.tif 000011
【図１０】
2006338991.tif 000012
【図１１】
2006338991.tif 000013